(57)【特許請求の範囲】
【請求項１】
ユーザから操作入力を受け付けるステップと、
受け付けた操作入力に基づいて記憶媒体からファイルのデータを再生し一時的に第１のメモリ領域に蓄積するステップと、
外部からの制御信号を受け付けるステップと、
受け付けた制御信号に基づいて前記記憶媒体からファイルのデータを再生し一時的に第２のメモリ領域に蓄積するステップと、
前記操作入力に基づいて蓄積されたデータと前記制御信号に基づいて蓄積されたデータをそれぞれ読み出し複数系統のデータを切換え又はミックスするミキサの各系統に出力するステップと、
を備える、ことを特徴とする再生方法。
【請求項２】
再生装置と、制御装置と、ミキサとを備える再生システムであって、
前記再生装置は、
内蔵記憶媒体及び外部記憶媒体のいずれか一方または両方によって構成される記憶媒体に記憶されたファイルを再生する再生部と、
ユーザからの操作入力を受け付ける再生操作部と、
前記再生操作部が受け付ける操作入力に基づいて前記再生部が再生するファイルのデータを一時的に蓄積する第１のメモリ領域と、
前記再生操作部が受け付ける操作入力に基づいて前記第１のメモリ領域からデータを読み出し出力する第１の出力部と、
外部からの制御信号を受け付ける制御入力インタフェース部と、
前記制御入力インタフェース部が受け付ける制御信号に基づいて前記再生部が再生するファイルのデータを一時的に蓄積する第２のメモリ領域と、
前記制御入力インタフェース部が受け付ける制御信号に基づいて前記第２のメモリ領域からデータを読み出し出力する第２の出力部とを備え、
前記制御装置は、
ユーザからの操作入力を受け付ける制御操作部と、
前記制御操作部が受け付ける操作入力に基づいて前記制御入力インタフェース部に制御信号を出力する制御出力インタフェース部とを備え、
前記ミキサは、
前記第１の出力部及び前記第２の出力部からのデータをそれぞれ入力する複数の入力系統を有し入力された各系統のデータを切換え又はミックスして出力する、
ことを特徴とする再生システム。
【発明の詳細な説明】
【技術分野】
【０００１】
本発明は、内蔵及び／又は外部記憶媒体に記憶されたファイルを再生して、複数の系統に実質的に同時に出力可能とする、再生方法及び再生システムに関する。
【背景技術】
【０００２】
クラブ等において音楽を提供するディスクジョッキー（Disc Jockey：以下、ＤＪ）等が用いる再生装置がある。ＤＪ等は、再生装置を用いて、記憶媒体に記憶させた楽曲に特殊効果を付与して演出する。
【０００３】
近年、ハードディスク、フラッシュメモリ等の内蔵及び外部記憶媒体に楽曲を多数保存することが一般的となっている。ＤＪ等が用いる再生装置においても、ハードディスクを内蔵し、かつ、リムーバブル外部記憶媒体を接続可能なものが上市されている（例えば、非特許文献１参照））。ＤＪ等は、この再生装置を用いて、内蔵及び外部記憶媒体に保存した多数の楽曲を利用して所望の演出を実現することができる。
【０００４】
【非特許文献１】製品情報（ｉＣＤＸ）、ヌマーク  インダストリーズ  ＬＬＣ、［online］、［２００７年１０月１７日検索］、インターネット（URL：http://www.numark.jp/pdf/specs/iCDX_Product_Overview_JP.pdf）
【発明の開示】
【発明が解決しようとする課題】
【０００５】
ＤＪ等は、一般に、２台の再生装置をミキサに接続し、交互に又はミックスして楽曲を再生する。したがって、再生装置の内部又は外部記憶媒体に多数の楽曲（ライブラリ）を保存していたとしても、これらのライブラリを共有して同時に又は連続的に利用することには問題がある。
【０００６】
すなわち、例えばＵＳＢ（Universal Serial Bus）接続された外部記憶媒体に保存されたデータについては、通常の構成では、異なる再生装置間で同時に再生することはできない。特別なＵＳＢコントローラ等を用いれば可能であるが、再生装置の製造コストを増大させる。
【０００７】
一方で、内蔵記憶媒体（ハードディスク等）に保存された楽曲について、他の再生装置に楽曲データを転送してデータを共有することは可能である。しかし、リアルタイムで早送り再生等を行ういわゆるＤＪプレイにおいては、ある程度（例えば３０秒分）のデータ蓄積が必要であり、転送待ち時間が存在すればユーザの操作性は極めて低く、実用に支障が生じうる。
上記事情の下、本発明は、上記従来技術における問題点を解決することを目的とする。
【課題を解決するための手段】
【０００８】
上記目的を達成するため、本発明の第１の態様における再生装置は、
記憶媒体に記憶されたファイルを再生する再生部と、
前記再生部が再生するファイルのデータを一時的に蓄積するメモリと、
ユーザから操作入力を受け付ける操作部と、
前記操作部が受け付ける操作入力に基づいて前記メモリから読み出されるデータを出力するメイン出力部と、
外部からの制御信号を受け付ける制御インタフェース部と、
前記制御インタフェース部が受け付ける制御信号に基づいて前記メモリから読み出されるデータを出力するサブ出力部と、
を備える。
【０００９】
上記構成において、前記記憶媒体は、内蔵記憶媒体及び外部記憶媒体の少なくともいずれか一方から構成されてもよい。
【００１０】
上記構成において、例えば、前記メイン出力部及び前記サブ出力部からのデータは、ミキサの２つの系統に出力される。
【００１１】
上記目的を達成するため、本発明の第１の態様における再生方法は、
記憶媒体に記憶されたファイルを再生し、
再生するファイルのデータを一時的にメモリに蓄積し、
ユーザからの操作入力に基づいて前記メモリから読み出されるデータを出力するとともに、外部からの制御信号に基づいて前記メモリから読み出されるデータを出力する。
【発明の効果】
【００１２】
本発明の再生方法によれば、内蔵及び／又は外部記憶媒体に記憶されたファイルから、操作入力と外部の制御信号それぞれによってファイルを選択して再生し、ファイル転送の待ち時間を低減し、ファイルのデータを切換え又はミックスするため、複数の系統に実質的に同時に出力することができる。
また、本発明の再生システムによれば、再生装置の内蔵記憶媒体及び／又は外部記憶媒体に記憶されたファイルから、再生装置の操作入力と制御装置の制御操作それぞれによってファイルを選択して再生し、複数の系統に実質的に同時に再生出力したファイルのデータをミキサで切換え又はミックスして出力することができる。
【発明を実施するための最良の形態】
【００１３】
本発明に係る実施の形態について、以下、図面を参照して詳細に説明する。なお、以下に示す実施の形態は一例であり、これに限定されない。
以下に示す本実施の形態に係る再生装置は、ハードディスク等に記録されたデジタルオーディオファイルについて、ＤＪ等の操作者が自在な再生を行うことが可能であり、例えば、クラブ、スタジオ、ホームパーティ等で好適に使用可能である。
【００１４】
本発明の実施の形態に係る再生装置の構成を図１に示す。図１に示す再生装置１０は、ＣＰＵ（Central
Processing Unit）１２と、再生部１４と、メモリ１６と、ＤＳＰ（Digital Signal
Processor）１８と、メイン及びサブ出力部２０、２２と、表示部２４と、操作部２６と、制御インタフェース部２８と、を備える。
【００１５】
ＣＰＵ１２は、再生装置１０の動作を統括的に制御する。
【００１６】
再生部１４は、内蔵及び／又は外部記憶媒体３０に記憶されたデジタルオーディオデータファイルを読み取り、再生する。記憶媒体３０としては、ハードディスク、シリコンメモリ１６、光ディスク（ＣＤ（Compact Disc）、ＤＶＤ（Digital Versatile Disc）等）、メモリ１６カード／スティック等が挙げられる。再生部１４は、再生する記憶媒体３０に対応した読み取り機構を備え、外部記憶媒体に接続される場合にはＵＳＢインタフェース等の接続インタフェースを備える。
【００１７】
オーディオファイルのフォーマットは、ＭＰ３（Moving Picture Experts Group
Audio Layer3）、ＡＩＦＦ（Audio Interchange File Format）、ＷＡＶ（Word Audio Video）、ＭＩＤＩ（Musical Instruments
Digital Interface）等いかなるものであってもよい。再生部１４は、オーディオファイルにデコード処理等を施して出力する。
【００１８】
メモリ１６は、再生部１４が読み出したデジタルオーディオ信号を一時的に記憶する。メモリ１６は、後述する２系統の出力のため、例えば、各３０秒分のデータ蓄積が可能な容量を有する。
【００１９】
ＤＳＰ１８は、再生部１４から再生されたデータのメモリ１６への書き込みを制御し、メモリ１６のメモリアドレスを管理する。ＤＳＰ１８は、メモリ１６から読み出したデータに波形処理等を施して出力する。また、ＤＳＰ１８は、ＣＰＵ１２により指示されたアドレス順及び速度で、メモリ１６に記憶されたオーディオデータを読み出す。
【００２０】
ＤＳＰ１８は、ＣＰＵ１２の制御の下、記憶媒体３０に記憶された任意のオーディオファイルについて実質的に同時に読出すことができる。例えば、ＤＳＰ１８は、ＣＰＵ１２の制御の下、記憶媒体３０に記憶された異なる２つのオーディオファイルをそれぞれ読出し、２系統に出力することができる。ＤＳＰ１８は、各系統について、メモリ１６の管理、データの書き込み・読み出し、波形処理等を行う。
【００２１】
メイン及びサブ出力部２０、２２は、メイン及びサブ外部出力端子（いずれも図示せず）をそれぞれ備え、ＤＳＰ１８によりメモリ１６から読み出された１又は２系統のオーディオデータをそれぞれ出力する。メイン及びサブ出力部２０、２２は、ＤＡＣ（Digital to Analog Converter）を備え、デジタルデータをアナログデータに変換する。出力先がデジタルデータを受信可能な場合には、アナログ信号に変換する必要はない。
【００２２】
後述するように、メイン出力部２０からは、操作部２６からの操作入力に基づいてデータが出力される。サブ出力部２２からは、他の装置からの制御信号に基づいてデータが出力される。メイン及びサブ出力部２０、２２からの出力は、例えばミキサの異なる系統にそれぞれ入力される。制御信号を受信しないとき、メイン出力部２０のみからデータが出力される。
【００２３】
表示部２４は、液晶表示装置等から構成される。表示部２４は、現在再生しているトラック、チャプタ、ファイルの再生時間、操作内容等の操作に必要な情報を表示する。また、後述するように、表示部２４は、再生装置１０の遠隔制御モードにおける種々の情報を表示する。
【００２４】
操作部２６は、操作ボタン等を備えた操作パネルを含んで構成され、ユーザの操作入力を受け付ける。操作パネルには、ジョグダイヤル等が設けられ、ユーザは、早送り／早戻し、スクラッチ、ピッチベンド等の特殊再生操作を行うことができる。ＣＰＵ１２は、ユーザの操作部２６の操作に応じて、ＤＳＰ１８によるメモリ１６の読み出し、波形処理等を制御する。また後述するように、操作部２６には、例えば遠隔制御モードのオン／オフを切り替える図示しないキーが配置される。
【００２５】
制御インタフェース部２８は、例えばＲＳ−２３２Ｃ（Recommended Standard 232
version C）等の汎用シリアルインタフェースを含んで構成され、シリアル制御信号の送受信インタフェースを構成する。制御インタフェース部は、イーサネット（登録商標）、ＵＳＢ等の他の規格に基づいて構成されていても良い。制御インタフェース部２８は、Ｄサブ９ピンポート等を備え、本実施例に係る再生装置１０と同様の構成を有する他の再生装置とケーブルを介して接続される。
【００２６】
ＣＰＵ１２は、他の再生装置との間の接続を確立又は切断するよう制御インタフェース部２８を制御する。また、本実施例において、ＣＰＵ１２は、制御インタフェース部２８を介して他の再生装置からのコマンドを受けとり、コマンドに応じた動作制御を行う。すなわち、本実施形態に係る再生装置１０は、遠隔制御可能に構成されている。再生装置１０は、自身の操作部２６の操作による直接指示入力を受け付け可能であるとともに、遠隔制御による指示入力も受け付けることができる。
【００２７】
また逆に、再生装置１０は、制御インタフェース部２８を介して、他の再生装置を遠隔制御することが可能である。すなわち、本実施形態に係る再生装置１０を２台接続することにより、その一方を遠隔制御用として用いることができる。
【００２８】
図２に、本実施の形態に係る再生装置１０Ａ及び１０Ｂをミキサ３２に接続した例を示す。ミキサ３２は、２つの入力系統（Ａ系統３４及びＢ系統３６）を備え、各系統からの出力をフェーダ３８にて切換え又はミックスして出力する。
【００２９】
図２において、再生装置１０Ａのメイン出力部２０からの出力（メイン出力）は、ミキサ３２のＡ系統３４に入力され、サブ出力部２２からの出力（サブ出力）は、ミキサ３２のＢ系統３６に入力される。
【００３０】
再生装置１０Ｂは、再生装置１０Ａと同様にミキサ３２に直接接続可能であるが、図２に示す例では、ミキサ３２とは接続せず、再生装置１０Ａとシリアル接続されているのみである。再生装置１０Ａと再生装置１０Ｂとは、例えば、約３ｍのケーブルで接続され、ユーザの操作しやすい位置に配置される。再生装置１０Ｂは再生装置１０Ａに対して、再生装置１０Ａのオーディオ信号の再生等に関して制御信号を送出可能であり、また、再生装置１０Ａから動作状態を表す画面情報等を受信可能である。すなわち、再生装置１０Ａと再生装置１０Ｂとは、制御される「スレーブ」と、制御する「マスタ」といえる。
【００３１】
図に示す構成において、ユーザは、再生装置１０Ａを操作して再生装置１０Ａの記憶媒体３０に記憶されたオーディオファイルを選択、再生し、ミキサ３２に出力させる（メイン出力）。一方で、ユーザは、再生装置１０Ｂを操作して、再生装置１０Ａの記憶媒体３０に記憶された他のオーディオデータを再生し、ミキサ３２に出力させる（サブ出力）。再生装置１０Ｂについてなされた操作は、シリアル接続された再生装置１０Ａに制御コマンドとして送られ、再生装置１０Ａにおいて再生装置１０Ｂの命令と判定された場合に、サブ出力に関する処理が行われる。
【００３２】
また、再生装置１０Ａの動作状態、オーディオファイルの情報（タイムコード、メタデータ）等について、再生装置１０Ｂは再生装置１０Ａから取得し、図示しない表示装置に表示する。
【００３３】
この構成により、ユーザは、再生装置１０Ａの記憶媒体３０に記憶された任意のオーディオファイルについて、再生装置１０Ｂを操作して、所望のように実質的に同時に再生することができる。すなわち、再生装置１０Ａの記憶媒体３０に記憶されたオーディオファイル群（ライブラリ）の再生について、再生装置１０Ｂ自体で再生するのと同様の操作感を擬似的に実現することができる。この遠隔制御において、オーディオデータは再生装置１０Ａでのみ処理され、再生装置１０Ｂには転送されない。このため、再生装置１０Ａと再生装置１０Ｂとの間のオーディオデータの転送待ち時間によって、ユーザの操作性が損なわれることはない。
【００３４】
以下、上記例において再生装置１０Ｂで再生装置１０Ａを遠隔制御する際の動作フローについて、図面を参照して説明する。図３は、互いにシリアル接続された再生装置１０Ａ及び再生装置１０Ｂの動作フローの一例を示す図である。
【００３５】
まず、ユーザは、遠隔制御を開始するため、スレーブである再生装置１０Ａの遠隔制御を開始する入力を行う（ステップＳ１１）。再生装置１０Ａには、例えば、遠隔制御を開始及び終了するキーが設けられ、そのオン／オフにより、遠隔制御モードへの移行及び終了が入力される。
【００３６】
遠隔制御開始の入力を受け、再生装置１０Ａは、再生装置１０Ｂとの間の接続を確立する。具体的には、再生装置１０Ａは、まず接続チェックコマンドを送出し、再生装置１０Ｂは、接続チェック応答を返す。次いで、再生装置１０Ａは、接続要求コマンドを送出し、再生装置１０Ｂは接続要求応答を返す。これにより、再生装置１０Ａと再生装置１０Ｂとの間のデータ接続が確立される。なお、遠隔制御の開始・終了の指示は、再生装置１０Ｂから送られてもよく、あるいは、いずれかにおいて入力があれば遠隔制御を開始するようにしてもよい。
【００３７】
接続確立後、再生装置１０Ａでは遠隔制御モードに移行した旨の表示がなされる（ステップＳ１２）。その後は、再生装置１０Ａでは、ユーザから再生装置１０Ａの操作インタフェースを介して操作を直接受け付ける、通常の再生（メイン出力）が可能である。
また、再生装置１０Ａは、再生装置１０Ｂで表示される操作画面情報を生成して、再生装置１０Ｂに送出し、再生装置１０Ｂでは、遠隔制御のための画面が表示される（ステップＳ２１）。
【００３８】
以降、ユーザは、マスタである再生装置１０Ｂの操作インタフェース（ジョグダイヤル等）を用いて、再生装置１０Ａの再生（サブ出力）を制御することができる。
【００３９】
再生装置１０Ｂでは、ユーザの操作に応じて操作コマンドが生成され、再生装置１０Ａに送出される（ステップＳ２２）。再生装置１０Ａは、コマンドを解析し、これに応じてサブ出力について所定の処理を行う。また、再生装置１０Ａは、この処理の際に表示されるべき画像情報を生成して再生装置１０Ｂに送出し（ステップＳ１３〜Ｓ１５）、再生装置１０Ｂには、再生装置１０Ａの遠隔操作画面が表示される（ステップＳ２３）。遠隔制御モードにおいては、これらの処理が繰り返される（ステップＳ１６、ステップＳ２４）。
【００４０】
例えば、ユーザは、遠隔制御モードで再生装置１０Ｂに表示される画面を見て、再生装置１０Ａで再生する媒体（例えばハードディスク）を選択する。次いで、選択した媒体に保存されたオーディオファイルやプレイリストの一覧が、再生装置１０Ｂに表示され、ユーザは所望のファイルやリストを選択する。選択された入力は、再生装置１０Ｂから再生装置１０Ａに送られ、再生装置１０Ａのサブ出力では、選択されたファイル等が出力される。同時に、再生装置１０Ａから再生装置１０Ｂには、随時サブ出力の画面情報が送られ、再生装置１０Ｂの画面は随時更新される。これにより、ユーザは、再生装置１０Ｂを操作することで、再生装置１０Ａを直接操作するのと同様な、多彩な演出を行うことができる。
【００４１】
遠隔制御と同時に、ユーザは、再生装置１０Ａを直接操作して、再生装置１０Ａの内蔵及び／又は外部記憶媒体３０に保存された任意のオーディオファイルの再生（メイン出力）を行うことができる。このように再生装置１０Ａからのメイン出力と、再生装置１０Ｂからのサブ出力とを、ミキサ３２にて切換え又はミックスして所望の演出を行うことができる。
【００４２】
遠隔制御モードを終了するときは、ユーザは、再生装置１０Ａの遠隔制御を終了するキーを押して、遠隔制御の終了を入力する（ステップＳ１７）。再生装置１０Ａは、切断要求コマンドを再生装置１０Ｂに送り、再生装置１０Ｂは切断要求応答を返す。接続が切断されると、再生装置１０Ａには終了表示がなされ（ステップＳ１８）、再生装置１０Ｂでは、遠隔制御画面の表示が終了する（ステップＳ２５）。
【００４３】
以上説明したように、上記実施の形態に係る再生装置１０は２系統のオーディオ出力を備え、直接操作によるオーディオファイルの再生（メイン出力）と同時に、遠隔制御によるオーディオファイルの再生（サブ出力）を実質的に同時に行うことができる。
【００４４】
これにより、再生装置１０の内蔵及び／又は外部記憶媒体３０に保存されたオーディオファイル（ライブラリ）を他の再生装置と共有することが可能となる。従ってユーザは、２つの再生装置１０の間で、それぞれに所望のファイルが保存されたリムーバブル記憶媒体を演奏毎に付け替えたり、同一ファイルをコピーした記憶媒体を予め用意するといった必要がなくなる。さらに、同一の記憶媒体３０を利用できるため、ユーザはデータを一元化して管理できるなど、高い利便性が実現される。
【００４５】
また、２台の再生装置１０で、同一の記憶媒体３０に記憶された同一のオーディオファイルを再生することができるなど、多彩な演出も可能となる。逆に、それぞれの再生装置１０に接続した記憶媒体３０に保存したファイルをいずれの再生装置１０でも利用でき、ユーザにとっての利便性が向上される。
【００４６】
さらに、ユーザは、本実施の形態の再生装置１０の２つの出力系統をミキサ３２に接続して、再生装置１０を制御側の再生装置と接続するだけでよい。このため、ハブを設けて外部記憶媒体に２つの再生装置で接続するような構成と比較して、配線も非常に簡単である。加えて、特別なハブ等を用いないため、再生装置１０自体も比較的安価に製造することが可能である。
【００４７】
本発明は、上記実施の形態に限られず、当業者に自明な種々の変更、修正、追加等が可能である。
【００４８】
上記実施の形態では、１つのＤＳＰ１８から２系統の出力を生成するものとした。しかし、メイン出力とサブ出力のそれぞれを生成する２つのＤＳＰ１８を設けても良い。また、各出力についてそれぞれ独立したメモリ１６を設けても良い。
【００４９】
上記実施の形態では、再生装置１０を他の再生装置により遠隔制御する構成とした。しかし、図４に示すように、専用の制御装置４０によって再生装置１０を制御するようにしても良い。制御装置４０は、再生装置１０から再生部１４を除いた操作パネル様のものであってもよく、或いは、再生装置１０において記憶媒体３０を取り外した構成であっても良い。このような専用の制御装置４０を単体として提供することにより、ユーザは、より安価に再生システムを構築することができる。
【００５０】
また、制御装置４０として、専用のソフトウェアを備えたパーソナルコンピュータを用いても良い。このようなソフトウェアはパーソナルコンピュータの画面上にＧＵＩ（Graphical User Interface）を表示し、ユーザはマウス、キーボード等を介して再生装置１０を遠隔で制御する。
【００５１】
上記実施の形態では、スレーブで画像情報を生成する構成としたが、マスタがスレーブから転送された情報に基づいて画像情報を生成するようにしても良い。
【００５２】
上記実施の形態では、オーディオファイルについて本発明を適用した場合について説明した。しかし、本発明は、ビデオデータを処理する場合についても好適に適用可能である。すなわち、１台の再生装置１０の記憶媒体３０に保存された動画ファイルライブラリについて、遠隔制御により２系統の出力を実現することができる。動画ファイルのデータレートが高い場合であっても、本実施の形態に係る再生装置１０では制御信号のみ転送し、ファイルデータは転送しないため、ファイルのデータレートにかかわらず、転送待ち時間のない、安定した操作感を低コストで実現可能である。
【図面の簡単な説明】
【００５３】
【図１】本発明の実施の形態にかかる再生装置の構成を示すブロック図である。
【図２】本発明の実施の形態にかかる再生装置をミキサに接続した例を示す図である。
【図３】本発明の実施の形態にかかる再生装置動作処理フローを示す図である。
【図４】本発明の他の実施の形態における接続例を示すである。
【符号の説明】
【００５４】
１０：再生装置、１２：ＣＰＵ、１４：再生部、１６：メモリ、１８：ＤＳＰ、２０：メイン出力部、２２：サブ出力部、２４：表示部、２６：操作部、２８：制御インタフェース部、３０：内蔵及び／又は外部記憶媒体
【図１】
0005025426.tif 000002
【図２】
0005025426.tif 000003
【図３】
0005025426.tif 000004
【図４】
0005025426.tif 000005